(57)【要約】【課題】ショーケース本体の空気吸入口に専用の固定部品を用いることなく着脱自在に取付けることのできるオープンショーケースの商品表示体保持具を提供する。【解決手段】商品表示体保持具１０の取付部１２をショーケース１の空気吸入口７ａの縁部に係合することによって取付けられるようにしたので、ショーケース１側に商品表示体保持具１０を固定するための専用の部品を設ける必要がなく、簡単な構造により容易にショーケース１に商品表示体保持具１０を取付けることができる。この場合、取付部１２を任意の空気吸入口７ａに挿入して取付けることができるので、取付位置が限定されることがなく、汎用性の向上を図ることができる。【選択図】  図４
2005040289.tif 000002
【特許請求の範囲】
【請求項１】
商品の価格等を表示する商品表示体を保持可能な表示体保持部と、表示体保持部の所定箇所に設けられた取付部とからなり、前面開口部の下端に空気吸入口を有するショーケース本体に前記取付部を介して着脱自在に取付けられる商品表示体保持具において、
前記取付部を空気吸入口の縁部に係合することによってショーケース本体に取付可能に形成した
ことを特徴とするオープンショーケースの商品表示体保持具。
【請求項２】
前記取付部を空気吸入口内に挿入可能に形成し、
その上部に空気吸入口の縁部に係合する係合部を設けた
ことを特徴とする請求項１記載のオープンショーケースの商品表示体保持具。
【請求項３】
前記取付部を係合方向及び係合解除方向に弾性変形可能に形成した
ことを特徴とする請求項１または２記載のオープンショーケースの商品表示体保持具。
【請求項４】
前記取付部を下端側に向って徐々に幅が小さくなるように形成した
ことを特徴とする請求項２または３記載のオープンショーケースの商品表示体保持具。
【請求項５】
前記取付部を棒状の部材を屈曲させることにより形成した
ことを特徴とする請求項１、２、３及び４記載のオープンショーケースの商品表示体保持具。
【発明の詳細な説明】
【０００１】
【発明の属する技術分野】
本発明は、スーパーマーケットやコンビニエンスストア等の店舗に設置されるオープンショーケースに取付けられ、商品の情報を表示した商品表示体を保持するオープンショーケースの商品表示体保持具に関するものである。
【０００２】
【従来の技術】
従来、この種の商品表示体保持具としては、ショーケース本体の前面開口部の下端に位置する化粧枠上面に、前面部及び背面部に係止部を設けた幅方向に延びるアルミ製または樹脂製の係止部材を取付け、商品名または商品の価格等を表示した商品表示体の上端部及び下端部をそれぞれ係止部に係止させることにより、表示体を保持するようにしたものが知られている。しかしながら、係止部材の前後方向の幅は化粧枠よりも小さく形成されているため、前後の幅の大きな表示体を取付けることができないという欠点がある。このため、大型の表示体を使用する場合は、ショーケース本体の商品載置面に商品表示体を取付けたスタンドを設置しているが、この場合はスタンドの設置スペースにより、商品の陳列面積が減少するという欠点がある。
【０００３】
そこで、商品表示体保持具をショーケース本体の空気吸入口に取付けることにより、大きさの異なる商品表示体を効率的に表示できるようにしたものが知られている（例えば、特許文献１参照）。
【０００４】
【特許文献１】
特開平７−２１３３９０号公報
【０００５】
【発明が解決しようとする課題】
しかしながら、空気吸入口に取付けるようにした商品表示体保持具では、吸入口カバーの内部に商品表示体保持具を固定するための専用の固定具を設けているため、ショーケースの組立時に固定具を取付けなければならず、部品点数が増加し、生産コストが高くなるという問題点があった。また、固定具が設けられている個所以外では商品表示体保持具を取付けられなかったり、固定具が取付けられていないショーケースには商品表示体保持具を取付けることができないという問題点もあった。
【０００６】
本発明は前記問題点に鑑みてなされたものであり、その目的とするところは、ショーケース本体の空気吸入口に専用の固定部品を用いることなく着脱自在に取付けることのできるオープンショーケースの商品表示体保持具を提供することにある。
【０００７】
【課題を解決するための手段】
本発明は前記目的を達成するために、請求項１では、商品の価格等を表示する商品表示体を保持可能な表示体保持部と、表示体保持部の所定箇所に設けられた取付部とからなり、前面開口部の下端に空気吸入口を有するショーケース本体に前記取付部を介して着脱自在に取付けられる商品表示体保持具において、前記取付部を空気吸入口の縁部に係合することによってショーケース本体に取付可能に形成している。これにより、取付部を空気吸入口の縁部に係合させることによって取付けられることから、ショーケース側に商品表示体保持具を固定するための専用の部品を必要としない。
【０００８】
また、請求項２では、請求項１のオープンショーケースの商品表示体保持具において、前記取付部を空気吸入口内に挿入可能に形成し、その上部に空気吸入口の縁部に係合する係合部を設けている。これにより、請求項１の作用に加え、空気吸入口内に挿入された取付部の係合部が空気吸入口の縁部に係合することから、取付状態で確実に保持される。
【０００９】
また、請求項３では、請求項１または２のオープンショーケースの商品表示体保持具において、前記取付部を係合方向及び係合解除方向に弾性変形可能に形成している。これにより、請求項１または２の作用に加え、取付部を弾性変形させながら空気吸入口の縁部との係合及び係合解除が行われる。
【００１０】
また、請求項４では、請求項２または３のオープンショーケースの商品表示体保持具において、前記取付部を下端側に向って徐々に幅が小さくなるように形成している。これにより、請求項２または３の作用に加え、取付具の下端側の幅が小さく形成されていることから、取付部を空気吸入口に容易に挿入することが可能となる。
【００１１】
また、請求項５では、請求項１、２、３または４のオープンショーケースの商品表示体保持具において、前記取付部を棒状の部材を屈曲させることにより形成している。これにより、請求項１、２、３または４の作用に加え、取付部が一部品により容易に形成される。
【００１２】
【発明の実施の形態】
図１乃至図４は本発明の一実施形態を示すもので、図１は商品表示体保持具を取付けたオープンショーケースの斜視図、図２はその側面断面図、図３は商品表示体保持具の斜視図、図４は商品表示体の動作を示す要部側面断面図である。
【００１３】
図１及び図２に示すショーケース１は、前面を開口したショーケース本体２と、ショーケース本体２内に取付けられた上下複数段の商品棚３と、ショーケース本体２内の上面側、背面側及び底面側に沿って形成された通風路４と、通風路内に配置された冷却器５及び送風機６とを備え、前面開口部下端から送風機６によって通風路４内に吸入された空気を冷却器５によって冷却し、前面開口部上端から冷気を吐出することにより、ショーケース本体２内の前面開口部にエアカーテンを形成するようになっている。また、ショーケース本体２の前面開口部下端には幅方向に延びる吸入口カバー７が設けられ、吸入カバー７には前後方向に延びる多数の長孔からなる空気吸入口７ａが設けられている。
【００１４】
ショーケース１に取付けられる商品表示体保持具１０は、商品の価格等を表示する任意の商品表示体Ａを保持可能な表示体保持部１１と、表示体保持部１１の幅方向二箇所に設けられた取付部１２とから構成されている。
【００１５】
表示体保持部１１は、幅方向に延びる略長方形の棒状の部材を枠状に形成してなり、前面がやや上方を向くように設けられている。
【００１６】
各取付部１２は、上下方向に延びる棒状の部材の下端側を背面上方へ屈曲させることにより形成され、取付部１２の下端側に向って徐々に前後方向の幅が小さくなるように略Ｖ字形状をなしている。取付部は前記略Ｖ字形状をなす前面側部材１３と背面側部材１４とからなり、前面側部材１３及び背面側部材１４は互いに前後方向に弾性変形可能に形成されている。
【００１７】
前面側部材１３及び背面側部材１４の上端側には、それぞれＶ字状部分の内側に屈曲することにより取付部１２の前面側及び背面側に対して凹状をなす前面側係合部１３ａ及び背面側係合部１４ａが形成されている。この場合、前面側係合部１３ａ及び背面側係合部１４ａの下部は、吸入口カバー７の上面に対してそれぞれ傾斜をなすように形成されている。また、前面側部材１３の上方には前方に向って延びる水平部１５が設けられ、水平部１５の前端側は上方に向って延びている。
【００１８】
取付部１２は、その上端を表示体保持部１１の上辺部１１ａの下面側に接合されるとともに、上端からやや下方を表示体保持部１１の下辺部１１ｂの背面側に接合されることにより、取付部１２と一体に設けられている。
【００１９】
以上の構成において、商品表示体保持具１０をショーケース１に取付けるときは、まず、ショーケース１の空気吸入口７ａに商品表示体保持具１０の取付部１２の下端を挿入する。その際、取付部１２を空気吸入口７ａに挿入していくと、取付部１２の前面側部材１３と背面側部材１４が空気吸入口７ａの前縁部及び後縁部にそれぞれ当接し、取付部１２が内側に弾性変形しながら挿入される。そして、前面側係合部１３ａ及び背面側係合部１４ａの下側傾斜部分１３ａ´，１４ａ´に空気吸入口７ａの縁部が達すると、下側傾斜部分１３ａ´，１４ａ´に案内されながら前面側係合部１３ａ及び背面側係合部１４ａが空気吸入口７ａの縁部に係合するとともに、水平部１５がショーケース１の化粧枠８の上面に係止し、商品表示体保持具１０がショーケース１に固定される。
【００２０】
更に、表示体保持部１１の上辺部１１ａに商品表示体Ａの上部に設けたフック状の部材を係合させて吊り下げ、表示体保持部の下辺部１１ｂと商品表示体Ａが当接することにより商品表示体Ａを保持するようにしている。
【００２１】
商品表示体保持具１０をショーケース１から取外すときは、商品表示体保持具１０を上方に引き上げると、取付部１２が前面側係合部１３ａ及び背面側係合部１４ａの下側傾斜部分１３ａ´，１４ａ´に案内されながら係合解除方向に弾性変形して前面側係合部１３ａ及び背面側係合部１４ａと空気吸入口７ａの縁部との係合が解除され、商品表示体Ａを取り外すことができる。
【００２２】
このように、本実施形態によれば、商品表示体保持具１０の取付部１２をショーケース１の空気吸入口７ａの縁部に係合することによって取付けられるようにしたので、ショーケース１側に商品表示体保持具１０を固定するための専用の部品を設ける必要がなく、簡単な構造により容易にショーケース１に商品表示体保持具１０を取付けることができる。この場合、取付部１２を任意の空気吸入口７ａに挿入して取付けることができるので、取付位置が限定されることがなく、汎用性の向上を図ることができる。
【００２３】
また、商品表示体保持具１０の取付部１２に空気吸入口７ａの縁部に係合する前面側係合部１３ａ及び背面側係合部１４ａを設けたので、商品表示体保持具１０を取付状態で確実に保持することができ、例えば商品や買物客との接触によって生ずる商品表示体保持具１０の位置ずれや脱落を防止することができる。
【００２４】
また、商品表示体保持具１０の取付部１２を係合方向及び係合解除方向に弾性変形可能に形成したので、商品表示体保持具１０を上下方向に移動させる操作のみにより、取付部１２を空気吸入口７ａの縁部に当接して弾性変形させながら商品表示体保持具１０の着脱を行うことができ、操作性の向上を図ることができる。
【００２５】
また、商品表示体保持具１０の取付部１２を下端側に向って徐々に幅が小さくなるように形成したので、商品表示体保持具１０を容易に空気吸入口７ａに挿入することができ、取付時の操作性をより一層向上させることができる。
【００２６】
また、商品表示体保持具１０の取付部１２を棒状の部材を屈曲させることにより形成するようにしたので、取付部１２を一部品により容易に形成することができ、部品点数を少なくしてコストの低減及び生産性の向上を図ることができる。
【００２７】
【発明の効果】
以上説明したように、請求項１のオープンショーケースの商品表示体保持具によれば、ショーケース側に商品表示体保持具を固定するための専用の部材が必要ないので、取付部を任意の空気吸入口に挿入して取付けることができ、取付位置が限定されることなく汎用性の向上を図ることができる。
【００２８】
また、請求項２では、請求項１の効果に加え、商品表示体保持具を取付状態で確実に保持することができるので、商品や買物客との接触によって生ずる商品表示体の位置ずれや脱落を防止することができる。
【００２９】
また、請求項３では、請求項１または２の効果に加え、取付部を弾性変形させながら商品表示対保持具の着脱を行うことができるので、操作性の向上を図ることができる。
【００３０】
また、請求項４では、請求項２または３の効果に加え、商品表示体保持具を容易に空気吸入口に挿入することができるので、取付時の操作性をより一層向上させることができる。
【００３１】
また、請求項５では、請求項１、２、３または４の効果に加え、取付部を位置部品により容易に形成することができるので、部品点数を少なくしてコストの低減及び生産性の向上を図ることができる。
【図面の簡単な説明】
【図１】本発明の一実施形態を示す商品表示体保持具を取付けたオープンショーケースの斜視図
【図２】商品表示体保持具を取付けたオープンショーケースの側面断面図
【図３】商品表示体保持具の斜視図
【図４】商品表示体の動作を示す要部側面断面図である。
【符号の説明】
２…ショーケース本体、７ａ…空気吸入口、１０…所品表示体保持具、１１…表示体保持部、１２…取付部、１３…前面側部材、１３ａ…前面側係合部、１４…背面側部材、１４ａ…背面側係合部、Ａ…商品表示体。
【図１】
2005040289.tif 000003
【図２】
2005040289.tif 000004
【図３】
2005040289.tif 000005
【図４】
2005040289.tif 000006